【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおけるプローブ通信のための方法であって、前記アクセスポイントは、通信パラメータを含むプローブ応答フレームを送信し、前記方法は、
アクセスポイントにおいて、送信電力指示を備えるプローブ要求を受信することと、
前記プローブ要求の受信された送信電力を決定することと、
前記送信電力指示および受信された送信電力に基づいて経路損失を推定することと、
第１のデータレートを定義する通信パラメータの第１のセットに基づいて第１のプローブ応答を送信することと、
前記アクセスポイントが、タイムアウト期間内に前記第１のプローブ応答に対する受領確認を受信しないとき、通信パラメータの第２のセットに基づいて第２のプローブ応答を送信することと、通信パラメータの前記第２のセットは、前記第１のデータレートよりも低い第２のデータレートを定義する、を備える方法。
【請求項２】
前記プローブ要求の受信された送信電力を決定することと、前記プローブ要求の前記決定された受信送信電力に基づいて、前記経路損失を推定することとをさらに備える、請求項１に記載の方法。
【請求項３】
通信パラメータの前記第１および第２のセットは各々、変調およびコーディング方式（ＭＣＳ）を定義する、請求項１に記載の方法。
【請求項４】
前記第１のデータレートから次に低いレートになるように前記第２のデータレートを定義するために、通信パラメータの前記第２のセットを決定することをさらに備える、請求項１に記載の方法。
【請求項５】
前記受領確認はメディアアクセス制御（ＭＡＣ）レベル受領確認を備える、請求項１に記載の方法。
【請求項６】
１つまたは複数の受信能力指示を決定するために、前記プローブ要求を復号することと、
前記１つまたは複数の決定された受信能力指示に基づいて、前記経路損失を推定することとをさらに備える、請求項１に記載の方法。
【請求項７】
前記少なくとも１つの受信能力指示から、ワイヤレスデバイスのアンテナの数を復号することと、前記アンテナの数に基づいて、前記経路損失を決定することとをさらに備える、請求項６に記載の方法。
【請求項８】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおけるプローブ通信のための装置であって、前記アクセスポイントは、通信パラメータを含むプローブ応答フレームを送信し、前記装置は、
送信電力指示を備えるプローブ要求を受信するように構成された受信機と、
前記プローブ要求の受信された送信電力を決定し、前記送信電力指示および受信された送信電力に基づいて経路損失を推定するように構成されたプロセッサと、
第１のデータレートを定義する通信パラメータの第１のセットに基づいて第１のプローブ応答を送信し、前記装置が、前記第１のプローブ応答に対する受領確認をタイムアウト期間内に受信しないとき、第２のデータレートを定義する通信パラメータの第２のセットに基づいて第２のプローブ応答を送信するように構成された送信機と、前記第２のデータレートは前記第１のデータレートよりも低い、を備える装置。
【請求項９】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおけるプローブ通信のための方法であって、前記アクセスポイントは、通信パラメータを含むプローブ応答フレームを送信し、前記方法は、
ワイヤレスデバイスにおいて、送信電力指示を備えるプローブ要求を送信することと、
アクセスポイントから、通信パラメータの第１または第２のセットのいずれかに基づいてプローブ応答を受信することと、通信パラメータの前記第１および第２のセットは、それぞれ第１および第２のデータレートを定義し、前記第２のデータレートは第１のデータレートよりも低い、
前記プローブ応答を受信するのに使われる前記通信パラメータに基づいて、通信パラメータの前記第１または第２のセットのいずれかを使用して前記プローブ応答に対する受領確認を送信することとを備える方法。
【請求項１０】
前記プローブ応答を前記第２のデータレートで受信することをさらに備え、ここにおいて、前記第２のデータレートは、前記第１のデータレートから次に低いデータレートと等価なレートである、請求項９に記載の方法。
【請求項１１】
１つまたは複数の受信能力指示を備えるように前記プローブ要求を生成することをさらに備える、請求項９に記載の方法。
【請求項１２】
前記ワイヤレスデバイスのアンテナの数を含むように、前記少なくとも１つの受信能力指示を生成することをさらに備える、請求項１１に記載の方法。
【請求項１３】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおけるプローブ通信のための装置であって、前記アクセスポイントは、通信パラメータを含むプローブ応答フレームを送信し、前記装置は、
送信電力指示を備えるプローブ要求を送信するように構成された送信機と、
アクセスポイントから、通信パラメータの第１または第２のセットのいずれかに基づいてプローブ応答を受信するように構成された受信機と、通信パラメータの前記第１および第２のセットは、それぞれ第１および第２のデータレートを定義し、前記第２のデータレートは前記第１のデータレートよりも低い、を備え、ここにおいて、
前記送信機は、前記プローブ応答を受信するのに使われる前記通信パラメータに基づいて、通信パラメータの前記第１または第２のセットのいずれかを使用して前記プローブ応答に対する受領確認を送信するようにさらに構成される、装置。
【請求項１４】
前記受信機は、前記プローブ応答を前記第２のデータレートで受信するようにさらに構成され、ここにおいて、前記第２のデータレートは、前記第１のデータレートから次に低いデータレートと等価なデータレートである、請求項１３に記載の装置。
【請求項１５】
コンピュータプログラム製品であって、
実行されるとき、請求項１乃至７および／または９乃至１２のうちのいずれかに記載の方法をコンピュータに実行させるためプログラムコードを記憶したコンピュータ可読媒体を備える、コンピュータプログラム製品。
【手続補正２】
【補正対象書類名】明細書
【補正対象項目名】０２２６
【補正方法】変更
【補正の内容】
【０２２６】
[00243]  上記は、本開示の態様を対象とするが、本開示の基本的な範囲を逸脱することなく、本開示の他の態様およびさらなる態様が考案され得るし、本開示の範囲は以下の特許請求の範囲によって決定される。
以下に、本願の出願当初の特許請求の範囲に記載された発明を付記する。
［Ｃ１］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、より効率的なプローブ通信のための方法であって、
アクセスポイントにおいて、送信電力指示を備えるプローブ要求を受信することと、
前記プローブ要求の受信された送信電力を決定することと、
前記送信電力指示および受信された送信電力に基づいて経路損失を推定することと、
第１のデータレートを定義する通信パラメータの第１のセットに基づいて第１のプローブ応答を送信することと、
前記アクセスポイントが、タイムアウト期間内に前記第１のプローブ応答に対する受領確認を受信しないとき、通信パラメータの第２のセットに基づいて第２のプローブ応答を送信することと、通信パラメータの前記第２のセットは、前記第１のデータレートよりも低い第２のデータレートを定義する、を備える方法。
［Ｃ２］
前記プローブ要求の受信された送信電力を決定することと、前記プローブ要求の前記決定された受信送信電力に基づいて、前記経路損失を推定することとをさらに備える、Ｃ１に記載の方法。
［Ｃ３］
通信パラメータの前記第１および第２のセットは各々、変調およびコーディング方式（ＭＣＳ）を定義する、Ｃ１に記載の方法。
［Ｃ４］
前記第１のデータレートから次に低いレートになるように前記第２のデータレートを定義するために、通信パラメータの前記第２のセットを決定することをさらに備える、Ｃ１に記載の方法。
［Ｃ５］
前記受領確認はメディアアクセス制御（ＭＡＣ）レベル受領確認を備える、Ｃ１に記載の方法。
［Ｃ６］
１つまたは複数の受信能力指示を決定するために、前記プローブ要求を復号することと、
前記１つまたは複数の決定された受信能力指示に基づいて、前記経路損失を推定することとをさらに備える、Ｃ１に記載の方法。
［Ｃ７］
前記少なくとも１つの受信能力指示から、ワイヤレスデバイスのアンテナの数を復号することと、前記アンテナの数に基づいて、前記経路損失を決定することとをさらに備える、Ｃ６に記載の方法。
［Ｃ８］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、より効率的なプローブ通信のための装置であって、
送信電力指示を備えるプローブ要求を受信するように構成された受信機と、
前記プローブ要求の受信された送信電力を決定し、前記送信電力指示および受信された送信電力に基づいて経路損失を推定するように構成されたプロセッサと、
第１のデータレートを定義する通信パラメータの第１のセットに基づいて第１のプローブ応答を送信し、前記装置が、前記第１のプローブ応答に対する受領確認をタイムアウト期間内に受信しないとき、第２のデータレートを定義する通信パラメータの第２のセットに基づいて第２のプローブ応答を送信するように構成された送信機と、前記第２のデータレートは前記第１のデータレートよりも低い、を備える装置。
［Ｃ９］
前記プロセッサは、前記プローブ要求の受信された送信電力を決定し、前記プローブ要求の前記決定された受信送信電力に基づいて、前記経路損失を推定するようにさらに構成される、Ｃ８に記載の装置。
［Ｃ１０］
通信パラメータの前記第１および第２のセットは各々、変調およびコーディング方式（ＭＣＳ）を定義する、Ｃ８に記載の装置。
［Ｃ１１］
前記プロセッサは、前記第１のデータレートから次に低いデータレートになるように前記第２のデータレートを定義するために、通信パラメータの第２のセットを決定するようにさらに構成される、Ｃ８に記載の装置。
［Ｃ１２］
前記受領確認はメディアアクセス制御（ＭＡＣ）レベル受領確認を備える、Ｃ８に記載の装置。
［Ｃ１３］
前記プロセッサは、１つまたは複数の受信能力指示を決定するために、前記プローブ要求を復号し、前記１つまたは複数の受信能力指示にさらに基づいて、前記経路損失を推定するようにさらに構成される、Ｃ８に記載の装置。
［Ｃ１４］
前記プロセッサは、前記少なくとも１つの受信能力指示からワイヤレスデバイスのアンテナの数を復号し、前記アンテナの数に基づいて、前記経路損失を決定するようにさらに構成される、Ｃ１３に記載の装置。
［Ｃ１５］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、より効率的なプローブ通信のための方法であって、
ワイヤレスデバイスにおいて、送信電力指示を備えるプローブ要求を送信することと、
アクセスポイントから、通信パラメータの第１または第２のセットのいずれかに基づいてプローブ応答を受信することと、通信パラメータの前記第１および第２のセットは、それぞれ第１および第２のデータレートを定義し、前記第２のデータレートは第１のデータレートよりも低い、
前記プローブ応答を受信するのに使われる前記通信パラメータに基づいて、通信パラメータの前記第１または第２のセットのいずれかを使用して前記プローブ応答に対する受領確認を送信することとを備える方法。
［Ｃ１６］
通信パラメータの前記第１および第２のセットは各々、変調およびコーディング方式（ＭＣＳ）を定義する、Ｃ１５に記載の方法。
［Ｃ１７］
前記プローブ応答を前記第２のデータレートで受信することをさらに備え、ここにおいて、前記第２のデータレートは、前記第１のデータレートから次に低いデータレートと等価なレートである、Ｃ１５に記載の方法。
［Ｃ１８］
メディアアクセス制御（ＭＡＣ）レベル受領確認を備えるように前記受領確認を生成することをさらに備える、Ｃ１５に記載の方法。
［Ｃ１９］
１つまたは複数の受信能力指示を備えるように前記プローブ要求を生成することをさらに備える、Ｃ１５に記載の方法。
［Ｃ２０］
前記ワイヤレスデバイスのアンテナの数を含むように、前記少なくとも１つの受信能力指示を生成することをさらに備える、Ｃ１９に記載の方法。
［Ｃ２１］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、より効率的なプローブ通信のための装置であって、
送信電力指示を備えるプローブ要求を送信するように構成された送信されたものと、
アクセスポイントから、通信パラメータの第１または第２のセットのいずれかに基づいてプローブ応答を受信するように構成された受信機と、通信パラメータの前記第１および第２のセットは、それぞれ第１および第２のデータレートを定義し、前記第２のデータレートは前記第１のデータレートよりも低い、を備え、ここにおいて、
前記送信機は、前記プローブ応答を受信するのに使われる前記通信パラメータに基づいて、通信パラメータの前記第１または第２のセットのいずれかを使用して前記プローブ応答に対する受領確認を送信するようにさらに構成される、装置。
［Ｃ２２］
通信パラメータの前記第１および第２のセットは各々、変調およびコーディング方式（ＭＣＳ）を定義する、Ｃ２１に記載の装置。
［Ｃ２３］
前記受信機は、前記プローブ応答を前記第２のデータレートで受信するようにさらに構成され、ここにおいて、前記第２のデータレートは、前記第１のデータレートから次に低いデータレートと等価なデータレートである、Ｃ２１に記載の装置。
［Ｃ２４］
プロセッサは、メディアアクセス制御（ＭＡＣ）レベル受領確認を備えるように前記受領確認を生成するようにさらに構成される、Ｃ２１に記載の装置。
［Ｃ２５］
プロセッサは、１つまたは複数の受信能力指示を備えるように前記プローブ要求を生成するようにさらに構成される、Ｃ２１に記載の装置。
［Ｃ２６］
前記プロセッサは、前記ワイヤレスデバイスのアンテナの数を含むように、前記少なくとも１つの受信能力指示を生成するようにさらに構成される、Ｃ２５に記載の装置。